(57)【要約】【課題】洗濯物を容易にかつ迅速に取り入れる物干しハンガー及び、紐状物干しを提供する。【解決手段】並行する紐状体を逆行させることによりピンチを開くもので、連設するピンチ各々の対向する摘み部の外面対角位置に突状部を施した紐状体を並行状に挿通し、ベースより突設した各アームの先端部に嵌着した軸止体に軸止した回転筒を係回し、対角方向に対向するアーム内を挿通し、回動ドラムの回動時、逆行するよう係止する。この回動ドラムは上把手の回転に連動して紐状体が逆行し、ピンチ摘み部に突状部が引っかかりピンチが開く。【選択図】    図１
2004230123.tif 000002
【特許請求の範囲】
【請求項１】
適宜位置に突状部を施した紐状体を、連設する任意数のピンチの各ピンチ摘み部の適宜位置に並行状に挿通し、ベース３より突設した各アーム先端部の軸止体を係回し、所要アームに挿通し、回動自在ドラムの周部の適宜位置に係止することを特徴とする物干しハンガー。
【請求項２】
適宜位置に突状部を施した紐状体を、連設する任意数のピンチ摘み部の適宜位置に並行状に挿通し、各両端部を柄状体に接続し、一方を着脱可能にすることを特徴とする紐状物干し。
【発明の詳細な説明】
【０００１】
【発明の属する技術分野】
本発明は、物干しハンガー及び紐状物干しに関する。
【０００２】
【従来の技術】
従来の物干しハンガーは、ピンチが一個一個紐で吊着されていた。又、洗濯物を下方に引くことによりピンチより外れる物干しハンガーはあった。
【０００３】
【発明が解決しようとする課題】
ところが上記物干しハンガーは、洗濯物を取り込む時、ピンチ一個一個から外して取込む為、時間を要し、非常に面倒であった。又、洗濯物を下方に引いてピンチより外す物干しハンガーは、洗濯物の材質により傷める可能性があった。
【０００４】
本発明は斯かる事情に鑑み、鋭意検討の結果、従来の前記問題を解決することが出来る、物干しハンガー及び紐状物干しを提供することを目的とする。
【０００５】
【課題を解決する為の手段】
前記目的を達成する為、請求項１の発明は、適宜位置に突状部を施した紐状体を、連設する任意数のピンチの摘み部の適宜位置に並行状に挿通し、ベースより突設した各アームの先端部に嵌着した軸止体の回転筒を係回し、所要アームに挿通して回動自在ドラム周部の適宜位置に係止することを特徴とする。
【０００６】
この特徴によれば、各ピンチの対向する摘み部をそれぞれ統一し、対向する摘み部各外面の対角位置に突状部をそれぞれ施した紐状体を、並行状に挿通し、ベースより突設した各アームの先端部に嵌着した軸止体の回転筒を係回して、対角方向に対向するアーム内を挿通し、回動ドラムの回動時、その並行状の紐状体が互いに逆行するよう回動ドラムに係止する。これにより、回動ドラムに係止されている紐状体は、回動ドラムの操作と連動し互いに逆行する。この逆行する紐状体は、ピンチの摘み部外面の対角位置にそれぞれ突状部を施している為、作動時、ピンチの摘み部に突状体が引っかかりピンチが開く。
【０００７】
また請求項２の発明は、適宜位置に突状部を施した紐状体を、連設する任意数のピンチの各摘み部適宜位置に並行状に挿通し、各両端部を柄状体に接続し、一方を着脱可能にすることを特徴とする。
【０００８】
この特徴によれば、各ピンチの対向する摘み部をそれぞれ統一し、対向する摘み部各外面の対角位置に突状部をそれぞれ施した紐状体を並行状に挿通し、各両端部を柄状体に接続したもので、両掛け具を外し両柄状体を互いに引くことにより、各ピンチの摘み部対角位置に施している紐状体の突状部が、ピンチの摘み部にそれぞれ引っかかり、ピンチが開く。
【０００９】
尚、本発明に於いて「紐状体」とは、金属性、ナイロン性、樹脂性、布性、などを問わず、糸、紐、ワイヤー、線条などいずれも含まれる。又、「回転筒」とは、回動時、紐状体の摩擦を少なくするものであり、形状や材質にこだわるものではない。又、「洗濯物を取り込む」と言うことは、ピンチより洗濯物を外すことを意味する。
【００１０】
【発明の実施の形態】
本発明の実施の形態を、添付図面に例示した本発明の実施例に基づいて以下に説明する。
【００１１】
添付図面に於いて、図１は本発明の物干しハンガーの一例を示す斜視図、図２は本発明の他の実施例を示す斜視図、図３は紐状体の係回状態を示す平面断面図、図４はベース及び把手部の部分断面図（図１のＢ−Ｂ矢視拡大部分断面図）、第５図はピンチ及び摘み部の拡大図（図１のＡ部拡大図）、第６図は本発明の紐状物干しの斜視図である。
【００１２】
先ず、図１、図２に於いて、いずれも使用状態を示す斜視図であり折り畳み時の並行紐状体１３の垂れ防止アーム１９がベース３より突設している。
【００１３】
折り畳み時は、上面と下面を逆にすればアーム郡７ａ…が垂下する。使用時のアーム郡７ａ…は、水平状態より下方ぎみに位置することにより並行紐状体１３を張った時、上方に跳ね上がることがない。又、アーム郡７ａ…を水平状態に位置する時は、アーム郡７ａ…の軸止側先端に位置し切欠部を有しるカバー６の操作によりアーム郡７ａ…の跳ね上がり防止と、カバー６の切欠部を合わせることにより垂下させることが出来る。
【００１４】
図３、図４は、回動ドラム４の外周対称位置に、互いに逆行するよう係止した紐状体１２ａ，１２ｂがベース３より突設したアーム郡７ａ…の対角方向に対向しているアーム７ａ，７ｄ内を挿通し、軸止体郡８ａ…の各回転筒９を係回している。
【００１５】
上記により回動ドラム４の回動操作により、並行紐状体１３が連動し、紐状体１２ａ，１２ｂが逆行する。この紐状体１２ａ，１２ｂはピンチ郡１０ａ…の摘み部１１に並行に挿通されると共に各摘み部１１の対向する外面対角位置に突状部１４を施すことにより、回動ドラム４の回動操作により紐状体１２ａ，１２ｂが逆行し、突状部１４がそれぞれピンチ郡１０ａ…の摘み部１１に引っかかり、ピンチ郡１０ａ…が開く。
【００１６】
上把手１は、カバー６を嵌合し、挿脱軸１５を垂設し、挿入部ａの端部には溝ｂが施され、ベース３を嵌着した下把手２と挿着し、更に、溝ｂを位置してボルト１８を螺挿し上把手が回動自在となっている。
【００１７】
回動ドラム４は、上把手１と下把手２とに介在し、ピンチ郡１０ａ…を開く時の補助力用としてスプリングコイル５を内設し、その上端は上把手１の挿入部ａに下端はベース３に係止している。
【００１８】
上把手１に垂設している挿脱軸１５は伸長バネ１６により常に下方に力が働き、下把手２を握持し、上把手１を約９０度回転させると、回動ドラム４の穿孔２０に挿脱軸１５が挿入され、回動ドラム４に反発力が働く。この時、上把手１と回動ドラム４は回動を共にする。
【００１９】
ピンチ郡１０ａ…を開く時、片方の手で下把手２を握持し、もう一方の手で上把手１を握り、ピンチ郡１０ａ…を開く時の回転方向と逆方向に上把手１を回転させ、挿脱軸１５が回動ドラム４の穿孔２０に挿入されると、スプリングコイル５の反発力が回動ドラムに伝わり、ピンチ郡１０ａを開く時の補助力となる。
【００２０】
挿脱軸１５の摘み部１７を上方にスライドすることにより、挿脱軸１７が回動ドラム４の穿孔２０より外れ、ピンチ郡１０ａ…の反発力が紐状体１２ａ，１２ｂに伝わり回動ドラム４が元の位置に戻る。
【００２１】
図５は、紐状体１２ａ，１２ｂの突状部１４とピンチ１０ｄの摘み部１１の関係を示し、紐状体１２ａ，１２ｂが逆行すると突状部１４が摘み部１１に引っかかり、ピンチ１０ｄが開く。
【００２２】
図６は、柄状体２１に紐状体１２ａ，１２ｂのそれぞれの一端を固着し、他端は掛け具２２にて着脱可能に掛止している。ピンチ郡１０ａ…を開く時は、掛け具２２を外して両柄状体２１を引き合うことでピンチ郡１０ａ…が開く。
【００２３】
柄状体に、簡単に引っかけられるような鉤をつけるか、或いは柄状体を成形することにより張設や継合が簡単に出来る。（図示せず）
【００２４】
【発明の効果】
以上のように請求項１の発明によれば、連設するピンチを瞬時に開くことが出来るもので、下把手を握持し上把手を回動操作することにより、回動ドラムが連動し、回動ドラムに係止されている紐状体が逆行する。この時、ピンチの摘み部に並行状に挿通している紐状体の突状部が摘み部に引っかかりピンチが開く。この構造により洗濯物を取り込む時は、把手回動操作により瞬時に各ピンチを開くことが出来る。又、上把手を一旦逆回転させ、スプリングコイルの反発力を補助力とすることにより、操作力を緩和出来る。請求項２の発明は、連設するピンチの摘み部に、突状部を施した紐状体を並行状に挿通し、紐状体の各一端を接続した柄状体をそれぞれ引き合うことで突状部がピンチの摘み部に引っかかり、瞬時にピンチを開くことが出来る。尚、この紐状物干しを複数本連設することにより、洗濯ロープとして使用出来、又、収納時は丸めて収納出来るのでスペースを必要としない。
【図面の簡単な説明】
【図１】本発明の一実施例の斜視図
【図２】本発明の他例の斜視図
【図３】紐状体の係回状態を示す平面断面図
【図４】図１のＢ−Ｂ矢視拡大部分断面図
【図５】図１のＡ部拡大図
【図６】紐状物干しの斜視図
【符号の説明】
１．．．．．上把手                      １１．．．．．摘み部
２．．．．．下把手                    １２ａ．．．．．紐状体
３．．．．．ベース                    １２ｂ．．．．．紐状体
４．．．．．回動ドラム                  １３．．．．．並行紐状体
５．．．．．スプリングコイル            １４．．．．．突状部
６．．．．．カバー                      １５．．．．．挿脱軸
７ａ．．．．．アーム                      １６．．．．．伸長バネ
７ｂ．．．．．アーム                      １７．．．．．摘み部
７ｃ．．．．．アーム                      １８．．．．．ボルト
７ｄ．．．．．アーム                      １９．．．．．垂れ防止アーム
８ａ．．．．．軸止体                      ２０．．．．．穿孔
８ｂ．．．．．軸止体                      ２１．．．．．柄状体
８ｃ．．．．．軸止体                        ａ．．．．．挿入部
８ｄ．．．．．軸止体                        ｂ．．．．．溝
９．．．．．回転筒                      ２２．．．．．掛け具
2004230123.tif 000003
【図１】
2004230123.tif 000004
【図２】
2004230123.tif 000005
【図３】
2004230123.tif 000006
【図４】
2004230123.tif 000007
【図５】
2004230123.tif 000008
【図６】
2004230123.tif 000009